(57)【要約】【課題】放送・通信のハイブリッドサービスを良好に実現可能とする。【解決手段】所定のコンポーネントを含む第１の伝送パケットおよびこの所定のコンポーネントに関する情報を含む第２の伝送パケットを時分割的に多重化した伝送ストリームを生成する。この伝送ストリームを所定の伝送路を通じて送信する。第２の伝送パケットに、少なくともロケーション情報およびプロトコル識別情報が含まれる、通信経路のコンポーネントの取得情報を挿入する。受信側では、この取得情報に基づいて、通信経路のコンポーネントを含む伝送パケットを有する伝送ストリームの受信を良好に行い得る。例えば、取得情報に、パケット識別情報がさらに含まれる。この場合、伝送ストリームに複数の伝送パケットが多重化されていても、このパケット識別情報に基づいて所望の伝送パケットを選択的に取得可能となる。【選択図】図６
2020074589.tif 000002
【特許請求の範囲】
【請求項１】
所定のコンポーネントを含む第１の伝送パケットおよび該所定のコンポーネントに関する情報を含む第２の伝送パケットを時分割的に多重化した伝送ストリームを生成する伝送ストリーム生成部と、
上記伝送ストリームを所定の伝送路を通じて送信する送信部と、
上記第２の伝送パケットに、少なくともロケーション情報およびプロトコル識別情報が含まれる、通信経路のコンポーネントの取得情報を挿入する情報挿入部を備える
送信装置。
【請求項２】
上記取得情報に、パケット識別情報がさらに含まれる
請求項１に記載の送信装置。
【請求項３】
上記プロトコル識別情報は、少なくともマルチキャスト配信、ＭＭＴＰ/ＵＤＰ配信、ＭＭＴＰ/ＴＣＰ配信、ＭＭＴＰ/ＨＴＴＰ配信およびＭＰＵ/ＨＴＴＰ配信のいずれのプロトコルであるかを識別するための情報である
請求項１に記載の送信装置。
【請求項４】
上記プロトコル識別情報が上記ＭＭＴＰ/ＵＤＰ配信であることを示すとき、上記取得情報には、ＵＲＬの他にＵＤＰを指定するパラメータが含まれる
請求項３に記載の送信装置。
【請求項５】
上記プロトコル識別情報が上記ＭＭＴＰ/ＴＣＰ配信であることを示すとき、上記取得情報には、ＵＲＬの他にＴＣＰを指定するパラメータが含まれる
請求項３に記載の送信装置。
【請求項６】
上記伝送パケットは、ＭＭＴパケットである
請求項１に記載の送信装置。
【請求項７】
上記所定の伝送路は、放送伝送路である
請求項１に記載の送信装置。
【請求項８】
所定のコンポーネントを含む第１の伝送パケットおよび該所定のコンポーネントに関する情報を含む第２の伝送パケットを時分割的に多重化した伝送ストリームを生成する伝送ストリーム生成ステップと、
送信部により、上記伝送ストリームを所定の伝送路を通じて送信する送信ステップと、
上記第２の伝送パケットに、少なくともロケーション情報およびプロトコル識別情報が含まれる、通信経路のコンポーネントの取得情報を挿入する情報挿入ステップを有する
送信方法。
【請求項９】
所定のコンポーネントを含む第１の伝送パケットおよび該所定のコンポーネントに関する情報を含む第２の伝送パケットを時分割的に多重化した伝送ストリームを所定の伝送路を通じて受信する受信部を備え、
上記第２の伝送パケットには、少なくともロケーション情報およびプロトコル識別情報が含まれる、通信経路のコンポーネントの取得情報が挿入されており、
上記ロケーション情報および上記プロトコル識別情報に基づいてサーバにリクエストすることで、該サーバからネットワークを通じて所定のコンポーネントを含む第３の伝送パケットを有する伝送ストリームを上記プロトコル識別情報で示されるプロトコルで受信する通信部をさらに備える
受信装置。
【請求項１０】
上記通信経路のコンポーネントの取得情報にはパケット識別情報がさらに含まれており、
上記通信部は、上記受信された第３の伝送パケットを有する伝送ストリームから、上記パケット識別情報に基づいて該第３の伝送パケットを抽出する
請求項９に記載の受信装置。
【請求項１１】
上記プロトコル識別情報は、少なくともマルチキャスト配信、ＭＭＴＰ/ＵＤＰ配信、ＭＭＴＰ/ＴＣＰ配信、ＭＭＴＰ/ＨＴＴＰ配信およびＭＰＵ/ＨＴＴＰ配信のいずれのプロトコルであるかを識別するための情報である
請求項９に記載の受信装置。
【請求項１２】
上記プロトコル識別情報が上記ＭＭＴＰ/ＵＤＰ配信であることを示すとき、
上記取得情報には、ＵＲＬの他にＵＤＰを指定するパラメータが含まれており、
上記通信部は、
上記ＵＲＬおよび上記ＵＤＰを指定するパラメータを用いてサーバにリクエストすることで、該サーバからネットワークを通じて上記第３の伝送パケットを有する伝送ストリームを上記ＭＭＴＰ/ＵＤＰ配信のプロトコルで受信する
請求項１１に記載の受信装置。
【請求項１３】
上記プロトコル識別情報が上記ＭＭＴＰ/ＴＣＰ配信であることを示すとき、
上記取得情報には、ＵＲＬの他にＴＣＰを指定するパラメータが含まれており、
上記通信部は、
上記ＵＲＬおよび上記ＴＣＰを指定するパラメータを用いてサーバにリクエストをすることで、該サーバからネットワークを通じて上記第３の伝送パケットを有する伝送ストリームを上記ＭＭＴＰ/ＴＣＰ配信のプロトコルで受信する
請求項１１に記載の受信装置。
【請求項１４】
上記プロトコル識別情報がＭＭＴＰ/ＨＴＴＰ配信であることを示すとき、
上記取得情報にはＵＲＬが含まれており、
上記通信部は、
上記ＵＲＬおよびＭＰＵシーケンス番号を示すパラメータを用いてサーバに順次リクエストを送信することで、該サーバからネットワークを通じて上記パラメータに対応したＭＰＵシーケンス番号のＭＰＵを含むＭＭＴパケットを順次受信し、
最初のリクエストにおけるＭＰＵシーケンス番号を示すパラメータを、該最初のリクエストのタイミングのＭＰＵシーケンス番号を表すものとする
請求項１１に記載の受信装置。
【請求項１５】
上記プロトコル識別情報がＭＰＵ/ＨＴＴＰ配信であることを示すとき、
上記取得情報にはＵＲＬが含まれており、
上記通信部は、
上記ＵＲＬおよびＭＰＵシーケンス番号を示すパラメータを用いてサーバに順次リクエストを送信することで、該サーバからネットワークを通じて上記パラメータに対応したＭＰＵシーケンス番号のＭＰＵを順次受信し、
最初のリクエストにおけるＭＰＵシーケンス番号を示すパラメータを、該最初のリクエストのタイミングのＭＰＵシーケンス番号を表すものとする
請求項１１に記載の受信装置。
【請求項１６】
上記伝送パケットは、ＭＭＴパケットである
請求項９に記載の受信装置。
【請求項１７】
上記所定の伝送路は、放送伝送路である
請求項９に記載の受信装置。
【請求項１８】
受信部により、所定のコンポーネントを含む第１の伝送パケットおよび該所定のコンポーネントに関する情報を含む第２の伝送パケットを時分割的に多重化した伝送ストリームを所定の伝送路を通じて受信する受信ステップを有し、
上記第２の伝送パケットには、少なくともロケーション情報およびプロトコル識別情報が含まれる、通信経路のコンポーネントの取得情報が挿入されており、
通信部により、上記ロケーション情報および上記プロトコル識別情報に基づき、ネットワークを通じて、所定のコンポーネントを含む第３の伝送パケットを有する伝送ストリームを上記プロトコル識別情報で示されるプロトコルで受信する通信ステップをさらに有する
受信方法。
【請求項１９】
所定のコンポーネントを含む第１の伝送パケットおよび該所定のコンポーネントに関する情報を含む第２の伝送パケットを時分割的に多重化した伝送ストリームを所定の伝送路を通じて受信する受信部を備え、
上記第２の伝送パケットには、少なくともロケーション情報およびプロトコル識別情報が含まれる、通信経路のコンポーネントの取得情報が挿入されており、
上記受信部で受信された伝送ストリームを処理する処理部をさらに備える
受信装置。
【発明の詳細な説明】
【技術分野】
【０００１】
本技術は、送信装置、送信方法、受信装置および受信方法に関し、詳しくは、放送・通信のハイブリッドシステムに適用して好適な送信装置等に関する。
【背景技術】
【０００２】
現在の放送システムでは、メディアのトランスポート方式として、ＭＰＥＧ−２  ＴＳ(Moving Picture Experts Group-2 Transport Stream）方式やＲＴＰ（Real Time Protocol）方式が広く使用されている（例えば、特許文献１を参照）。次世代のデジタル放送方式として、ＭＭＴ（MPEG Media Transport）方式（例えば、非特許文献１参照）が検討されている。
【先行技術文献】
【特許文献】
【０００３】
【特許文献１】特開２０１３−１５３２９１号公報
【非特許文献】
【０００４】
【非特許文献１】ISO/IEC DIS 23008-1:2013(E) Information technology-High efficiency coding and media delivery in heterogeneous environments-Part1:MPEG media transport(MMT)
【発明の概要】
【発明が解決しようとする課題】
【０００５】
本技術の目的は、放送・通信のハイブリッドサービスを良好に実現可能とすることにある。
【課題を解決するための手段】
【０００６】
本技術の概念は、
所定のコンポーネントを含む第１の伝送パケットおよび該所定のコンポーネントに関する情報を含む第２の伝送パケットを時分割的に多重化した伝送ストリームを生成する伝送ストリーム生成部と、
上記伝送ストリームを所定の伝送路を通じて送信する送信部と、
上記第２の伝送パケットに、少なくともロケーション情報およびプロトコル識別情報が含まれる、通信経路のコンポーネントの取得情報を挿入する情報挿入部を備える
送信装置にある。
【０００７】
本技術において、伝送ストリーム生成部により、所定のコンポーネントを含む第１の伝送パケットおよびこの所定のコンポーネントに関する情報を含む第２の伝送パケットを時分割的に多重化した伝送ストリームが生成される。例えば、伝送パケットは、ＭＭＴ（MPEG Media Transport）パケットである、ようにされてもよい。送信部により、この伝送ストリームが、所定の伝送路を通じて、受信側に送信される。例えば、所定の伝送路は、放送伝送路である、ようにされてもよい。
【０００８】
情報挿入部により、第２の伝送パケットに、少なくともロケーション情報およびプロトコル識別情報が含まれる、通信経路のコンポーネントの取得情報が挿入される。例えば、プロトコル識別情報は、少なくともマルチキャスト配信、ＭＭＴＰ/ＵＤＰ配信、ＭＭＴＰ/ＴＣＰ配信、ＭＭＴＰ/ＨＴＴＰ配信およびＭＰＵ/ＨＴＴＰ配信のいずれのプロトコルであるかを識別するための情報である、ようにされてもよい。
【０００９】
この場合、例えば、プロトコル識別情報がＭＭＴＰ/ＵＤＰ配信であることを示すとき、取得情報には、ＵＲＬの他にＵＤＰを指定するパラメータが含まれる、ようにされてもよい。また、この場合、例えば、プロトコル識別情報がＭＭＴＰ/ＴＣＰ配信であることを示すとき、取得情報には、ＵＲＬの他にＴＣＰを指定するパラメータが含まれる、ようにされてもよい。
【００１０】
このように本技術においては、第２の伝送パケットに、少なくともロケーション情報およびプロトコル識別情報が含まれる、通信経路のコンポーネントの取得情報が挿入される。そのため、受信側では、この取得情報に基づいて、通信経路のコンポーネントを含む伝送パケットを有する伝送ストリームの受信を良好に行い得る。
【００１１】
なお、本技術において、例えば、取得情報に、パケット識別情報がさらに含まれる、ようにされてもよい。この場合、伝送ストリームに複数のコンポーネントの伝送パケットが多重化されていても、このパケット識別情報に基づいて所望のコンポーネントの伝送パケットを選択的に取得可能となる。
【００１２】
また、本技術の他の概念は、
所定のコンポーネントを含む第１の伝送パケットおよび該所定のコンポーネントに関する情報を含む第２の伝送パケットを時分割的に多重化した伝送ストリームを所定の伝送路を通じて受信する受信部を備え、
上記第２の伝送パケットには、少なくともロケーション情報およびプロトコル識別情報が含まれる、通信経路のコンポーネントの取得情報が挿入されており、
上記ロケーション情報および上記プロトコル識別情報に基づき、ネットワークを通じて、所定のコンポーネントを含む第３の伝送パケットを有する伝送ストリームを上記プロトコル識別情報で示されるプロトコルで受信する通信部をさらに備える
受信装置にある。
【００１３】
本技術において、受信部により、所定のコンポーネントを含む第１の伝送パケットおよびこの所定のコンポーネントに関する情報を含む第２の伝送パケットを時分割的に多重化した伝送ストリームが所定の伝送路を通じて受信される。第２の伝送パケットには、少なくともロケーション情報およびプロトコル識別情報が含まれる、通信経路のコンポーネントの取得情報が挿入されている。
【００１４】
通信部により、ロケーション情報およびプロトコル識別情報に基づいてサーバにリクエストすることで、このサーバからネットワークを通じて所定のコンポーネントを含む第３の伝送パケットを有する伝送ストリームがプロトコル識別情報で示されるプロトコルで受信される。例えば、プロトコル識別情報は、少なくともマルチキャスト配信、ＭＭＴＰ/ＵＤＰ配信、ＭＭＴＰ/ＴＣＰ配信、ＭＭＴＰ/ＨＴＴＰ配信およびＭＰＵ/ＨＴＴＰ配信のいずれのプロトコルであるかを識別するための情報である、ようにされてもよい。
【００１５】
例えば、プロトコル識別情報がＭＭＴＰ/ＵＤＰ配信であることを示すとき、取得情報には、ＵＲＬの他にＵＤＰを指定するパラメータが含まれており、通信部は、ＵＲＬおよびＵＤＰを指定するパラメータを用いてサーバにリクエストすることで、このサーバからネットワークを通じて第３の伝送パケットを有する伝送ストリームをＭＭＴＰ/ＵＤＰ配信のプロトコルで受信する、ようにされてもよい。
【００１６】
また、例えば、プロトコル識別情報がＭＭＴＰ/ＴＣＰ配信であることを示すとき、取得情報には、ＵＲＬの他にＴＣＰを指定するパラメータが含まれており、通信部は、ＵＲＬおよびＴＣＰを指定するパラメータを用いてサーバにリクエストをすることで、このサーバからネットワークを通じてパラメータに対応した第３の伝送パケットを有する伝送ストリームをＭＭＴＰ/ＴＣＰ配信のプロトコルで受信する、ようにされてもよい。
【００１７】
また、例えば、プロトコル識別情報がＭＭＴＰ/ＨＴＴＰ配信であることを示すとき、取得情報にはＵＲＬが含まれており、通信部は、ＵＲＬおよびＭＰＵシーケンス番号を示すパラメータを用いてサーバに順次リクエストを送信することで、このサーバからネットワークを通じてパラメータに対応したＭＰＵシーケンス番号のＭＰＵを含むＭＭＴパケットを順次受信し、最初のリクエストにおけるＭＰＵシーケンス番号を示すパラメータを、該最初のリクエストのタイミングのＭＰＵシーケンス番号を表すものとする、ようにされてもよい。
【００１８】
また、例えば、プロトコル識別情報がＭＰＵ/ＨＴＴＰ配信であることを示すとき、取得情報にはＵＲＬが含まれており、通信部は、ＵＲＬおよびＭＰＵシーケンス番号を示すパラメータを用いてサーバに順次リクエストを送信することで、このサーバからネットワークを通じてパラメータに対応したＭＰＵシーケンス番号のＭＰＵを順次受信し、最初のリクエストにおけるＭＰＵシーケンス番号を示すパラメータを、該最初のリクエストのタイミングのＭＰＵシーケンス番号を表すものとする、ようにされてもよい。
【００１９】
このように本技術においては、第２の伝送パケットに挿入されて送られてくるロケーション情報およびプロトコル識別情報に基づいてサーバにリクエストすることで、このサーバからネットワークを通じて所定のコンポーネントを含む第３の伝送パケットを有する伝送ストリームがプロトコル識別情報で示されるプロトコルで受信される。そのため、通信経路のコンポーネントを含む伝送パケットを有する伝送ストリームの受信を良好に行い得る。
【００２０】
なお、本技術において、例えば、通信経路のコンポーネントの取得情報にはパケット識別情報がさらに含まれており、通信部は、受信された第３の伝送パケットを有する伝送ストリームから、パケット識別情報に基づいてこの第３の伝送パケットを抽出する、ようにされてもよい。この場合、伝送ストリームに複数のコンポーネントの伝送パケットが多重化されていても、このパケット識別情報に基づいて所望のコンポーネントの伝送パケットを選択的に取得可能となる。
【００２１】
また、本技術のさらに他の概念は、
所定のコンポーネントを含む第１の伝送パケットおよび該所定のコンポーネントに関する情報を含む第２の伝送パケットを時分割的に多重化した伝送ストリームを所定の伝送路を通じて受信する受信部を備え、
上記第２の伝送パケットには、少なくともロケーション情報およびプロトコル識別情報が含まれる、通信経路のコンポーネントの取得情報が挿入されており、
上記受信部で受信された伝送ストリームを処理する処理部をさらに備える
受信装置にある。
【発明の効果】
【００２２】
本技術によれば、放送・通信のハイブリッドサービスを良好に実現できる。なお、本明細書に記載された効果はあくまで例示であって限定されるものではなく、また付加的な効果があってもよい。
【図面の簡単な説明】
【００２３】
【図１】実施の形態としての放送・通信ハイブリッドシステムの構成例を示すブロック図である。
【図２】ＭＭＴ/放送の信号構成例のスタックモデルを示す図である。
【図３】ＭＭＴ方式放送ストリームの構成例を示す図である。
【図４】放送送出システムから受信端末に送信される１つのチャンネル（放送番組）の放送信号のイメージを示す図である。
【図５】ＭＭＴパケットの構成例とＭＭＴＰペイロード（MMTP payload）の構成例を示す図である。
【図６】ＭＭＴ/通信の信号構成例のスタックモデルを示す図である。
【図７】ＰＡメッセージ（Package Access Message）およびＭＰテーブル（ＭＰＴ：MMT Package Table）の構成例を概略的に示す図である。
【図８】ＰＡメッセージの主要なパラメータの説明を示す図である。
【図９】ＭＰテーブルの主要なパラメータの説明を示す図である。
【図１０】ＰＡメッセージの構造例（Syntax）を示す図である。
【図１１】ＭＰテーブル（ＭＰＴ）の構造例（Syntax）を示す図である。
【図１２】「MMT_general_location_info()」の構造例（Syntax）の一部を示す図である。
【図１３】（Ａ）マルチキャスト配信のプロトコルで配信されるアセットを受信する場合における受信シーケンスを説明するための図である。
【図１４】（Ｂ）ＭＭＴＰ/ＵＤＰ配信のプロトコルで配信されるアセットを受信する場合における受信シーケンスを説明するための図である。
【図１５】（Ｃ）ＭＭＴＰ/ＴＣＰ配信のプロトコルで配信されるアセットを受信する場合における受信シーケンスを説明するための図である。
【図１６】（Ｄ）ＭＭＴＰ/ＨＴＴＰ配信のプロトコルで配信されるアセットを受信する場合における受信シーケンスを説明するための図である。
【図１７】ＭＭＴＰ/ＨＴＴＰの多重化ストリームにおける切り出し処理を説明するための図である。
【図１８】（Ｅ）ＭＰＵ/ＨＴＴＰ配信のプロトコルで配信されるアセットを受信する場合における受信シーケンスを説明するための図である。
【図１９】放送送出システムの構成例を示すブロック図である。
【図２０】受信端末の構成例を示すブロック図である。
【発明を実施するための形態】
【００２４】
以下、発明を実施するための形態（以下、「実施の形態」とする）について説明する。なお、説明を以下の順序で行う。
１．実施の形態
２．変形例
【００２５】
＜１．実施の形態＞
［放送・通信ハイブリッドシステムの構成例］
図１は、放送・通信ハイブリッドシステム１０の構成例を示している。放送・通信ハイブリッドシステム１０において、送信側には放送送出システム１００および配信サーバ３００が配置され、受信側には受信端末２００が配置されている。配信サーバ３００は、通信ネットワーク４００を通じて受信端末２００に接続される。
【００２６】
放送送出システム１００は、ビデオ、オーディオなどのコンポーネント（アセット）を伝送メディアとして含むＩＰ（Internet Protocol）方式の放送信号を送信する。配信サーバ３００は、ビデオ、オーディオなどのコンポーネント（アセット）を伝送メディアとして含むＩＰパケットが連続的に配置された伝送ストリームを、例えば、受信側からの要求に応じ、通信ネットワーク４００を通じて、受信側に配信する。
【００２７】
受信端末２００は、放送送出システム１００から送られてくるＩＰ方式の放送信号を受信すると共に、配信サーバ３００からＩＰパケットが連続的に配置された伝送ストリームを受信する。受信端末２００は、このような放送・通信のハイブリッド伝送による受信信号から、提示すべきビデオ、オーディオなどの伝送メディア（コンポーネント）を取得し、画像、音声などを提示する。
【００２８】
ＩＰ方式の放送信号には、通信経路のコンポーネントの取得情報が挿入されている。この取得情報には、少なくともロケーション情報およびプロトコル識別情報が含まれている。受信端末２００は、この取得情報に基づいて、配信サーバ３００に要求し、プロトコル識別情報で示されるプロトコルで伝送ストリームの配信を受ける。
【００２９】
図２は、ＭＭＴ/放送の信号構成例のスタックモデルを示している。下位レイヤにＴＬＶ（Type Length Value）の伝送パケットが存在する。このＴＬＶの伝送パケットの上にＩＰパケットが載る。なお、伝送制御信号がシグナリング（Signaling）情報として載ったＴＬＶ伝送パケットも存在する。
【００３０】
ＩＰパケットの上に、ＵＤＰ（User Datagram Protocol）が載る。そして、ＵＤＰの上に、ＭＭＴ（MPEG Media Transport）パケットが載る。このＭＭＴパケットのペイロード部には、ビデオ、オーディオ等のコンポーネントの符号化データを含むＭＦＵ（MMT Fragment Unit）、あるいは伝送メディアに関する情報を含むシグナリングメッセージ（Signaling Message）が含まれる。
【００３１】
図３は、ＭＭＴ方式放送ストリームの構成例を示している。図３（ａ）は、ビデオのエレメンタリストリーム（Video ES）を示している。このビデオのエレメンタリストリームは、所定の大きさの固まりに分割され、図３（ｂ）に示すように、ＭＦＵのペイロード部に配置される。
【００３２】
図３（ｃ）に示すように、ＭＦＵにＭＭＴペイロードヘッダ（MMT payload header）が付加されてＭＭＴＰペイロード（MMTP payload）が構成される。そして、図３（ｄ）に示すように、このＭＭＴＰペイロードにさらにＭＭＴヘッダ（MMT header）が付加されて、ＭＭＴパケット（MMT packet）が構成される。なお、ペイロード部に、シグナリングメッセージ（Signaling Message）を含むＭＭＴパケットも存在する。図３（ｅ）に示すように、ＭＭＴパケットに、ＵＤＰヘッダ、ＩＰヘッダおよびＴＬＶヘッダが付加されて、ＭＭＴ方式放送ストリームを構成するＴＬＶパケット(TLV packet)が生成される。
【００３３】
なお、図示は省略されているが、ＴＬＶパケットとしては、さらに、オーディオなどのその他のコンポーネントのＭＭＴパケットを含むＴＬＶパケットも存在する。このＭＭＴ方式放送ストリームは、伝送メディア（コンポーネント）を含む第１のパケット（ＭＭＴパケット）と、シグナリング情報を含む第２のパケット（ＭＭＴパケット）を持つものとなる。
【００３４】
図４は、放送送出システム１００から受信端末２００に送信される１つのチャンネル（放送番組）の放送信号のイメージを示している。この放送信号には、ビデオ、オーディオなどのＭＭＴパケットと共に、シグナリングメッセージを含むＭＭＴパケットも含まれる。シグナリングメッセージとして、例えば、ＭＰテーブル（MP table）などが含まれるＰＡメッセージ（PA message）が存在する。
【００３５】
図５（ａ）は、ＭＭＴパケットの構成例を示している。ＭＭＴパケットは、ＭＭＴパケットヘッダ（MMTP header）と、ＭＭＴＰペイロード（MMTP payload）とからなる。「V」の２ビットフィールドは、ＭＭＴプロトコルのバージョンを示す。ＭＭＴ規格第１版に従う場合、このフィールドは“００”とされる。「C」の１ビットフィールドは、パケットカウンタフラグ（packet_counter_flag）情報を示し、パケットカウンタフラグが存在する場合は“１”となる。「FEC」の２ビットフィールドは、ＦＥＣタイプ（FEC_type）を示す。
【００３６】
「X」の１ビットフィールドは、拡張ヘッダフラグ（extension_flag）情報を示し、ＭＭＴパケットのヘッダ拡張を行う場合は“１”とされる。この場合、後述する「header_extension」のフィールドが存在する。「R」の１ビットフィールドは、ＲＡＰフラグ（RAP_flag）情報を示し、このＭＭＴパケットが伝送するＭＭＴペイロードがランダムアクセスポイントの先頭を含む場合は“１”とされる。
【００３７】
「type」の６ビットフィールドは、ペイロードタイプ（payload_type）情報であり、ＭＭＴＰペイロードのデータタイプを示す。例えば、「０ｘ００」はペイロードがＭＰＵ（Media Processing Unit）であることを示し、「０ｘ０２」はペイロードがシグナリングメッセージ（Signaling message）であることを示す。
【００３８】
「packet_id」の１６ビットフィールドは、ペイロードのデータ種類を識別するためのパケット識別子（packet_id）を示す。「timestamp」の３２ビットフィールドは、伝送のためのタイプスタンプ、すなわちＭＭＴパケットが送信側から出ていくときの時刻を示す。この時刻は、ＮＴＰショートフォーマット（NTP short format）で表される。「packet_sequence_number」の３２ビットフィールドは、同一のパケット識別子（packet_id）を持つＭＭＴパケットのシーケンス番号を示す。「packet_counter」の３２ビットフィールドは、パケット識別子（packet_id）の値に関係なく、同一のＩＰデータフローにおけるＭＭＴパケットの順序を示す。
【００３９】
上述の「X」の１ビットフラグ情報が「１」であるとき、「packet_counter」の３２ビットフィールドの後に、ＭＭＴ拡張ヘッダである「header_extension」のフィールドが配置される。その後に、ＭＭＴＰペイロード（MMTP payload）を構成する「payload data」のフィールドおよび「source_FEC_payload_ID」のフィールドが存在する。
【００４０】
図５（ｂ）は、上述のＭＭＴパケットの「payload data」のフィールドに配置されるＭＭＴＰペイロード（MMTP payload）の構成例(Syntax)を示している。なお、この例は、ＭＭＴヘッダの「type」が「０ｘ００」であるＭＰＵモードである場合を示している。最初にヘッダ情報が存在する。「length」の１６ビットフィールドは、ＭＭＴＰペイロード全体のバイトサイズを示す。“FT”の４ビットフィールドは、フィールドタイプを示す。 “０”は「MPU metadata」を含むことを示し、“１”は「Movie Fragment metadata」を含むことを示し、“２”は「ＭＦＵ」を含むことを示す。
【００４１】
ここで、ＭＦＵ（MMT Fragment Unit）は、ＭＰＵが細分化、すなわちフラグメント（Fragment）化されたものである。例えば、ビデオの場合、このＭＦＵを一つのＮＡＬユニットに相当するように設定できる。また、例えば、通信ネットワーク伝送路で送る場合、このＭＦＵを一つまたは複数のＭＴＵサイズ（MTU size）で構成することもできる。
【００４２】
また、ＭＰＵは、ランダムアクセスポイント（ＲＡＰ：Random Access Pint）から始まるものであり、１つまたは複数のアクセスユニット（ＡＵ：Access Unit）を含むものである。具体的には、例えば、１つのＧＯＰ（Group Of Picture）のピクチャが、一つのＭＰＵの構成となることがある。このＭＰＵは、アセット別（コンポーネント別）に定義されるものとなっている。したがって、ビデオのアセットからはビデオデータのみを含むビデオのＭＰＵが作成され、オーディオのアセットからはオーディオデータのみを含むオーディオのＭＰＵが作成される。
【００４３】
「T」の１ビットフラグ情報は、タイムドメディア（Timed Media）を伝送するか、ノンタイムドメディア（Non-Timed Media）を伝送するかを示す。“１”はタイムドメディアを示し、“０”はノンタイムドメディアを示す。
【００４４】
「f_i」の２ビットフィールドは、「DU payload」のフィールドに、整数個のデータユニット（ＤＵ：Data Unit）が入っているか、データユニットが断片化されて得られたフラグメント（Fragment）の最初（first）、中間、最後（last）のいずれが入っているかを示す。“０”は整数個のデータユニットが入っていることを示し、“１”は最初のフラグメントが入っていることを示し、“２”は中間のフラグメントが入っていることを示し、“３”は最後のフラグメントが入っていることを示す。
【００４５】
「A」の１ビットフラグ情報は、「DU payload」のフィールドに、複数個のデータユニットが入っているか否かを示す。“１”は入っていることを示し、“０”は入っていないことを示す。「frag_counter」の８ビットフィールドは、「f_i」が１〜３であるとき、何番目のフラグメントであるかを示す。
【００４６】
「MPU_sequence_number」の３２ビットフィールドは、ＭＰＵの順番を示す番号であり、ＭＰＵを識別する情報である。例えば、１つのＧＯＰが１つのＭＰＵを構成する場合、あるＧＯＰの「MPU_sequence_number」が「ｉ」であるとき、次のＧＯＰの「MPU_sequence_number」は「ｉ＋１」となる。
【００４７】
この「MPU_sequence_number」のフィールドの後に、「DU_length」、「DU_header」、「DU_payload」の各フィールドが配置される。「DU_length」の１６ビットフィールドは、上述の「A=0」である場合、つまり「DU payload」のフィールドに複数個のデータユニットが入っていない場合は存在しない。また、「DU_header」のフィールドは、“FT=0/1”である場合、つまり「MPU metadata」や「Movie Fragment metadata」を含む場合は存在しない。
【００４８】
図６は、ＭＭＴ/通信の信号構成例のスタックモデルを示している。ＭＭＴ/通信による配信オプションとして、（Ａ）マルチキャスト配信、（Ｂ）ＭＭＴＰ/ＵＤＰ配信、（Ｃ）ＭＭＴＰ/ＴＣＰ配信、（Ｄ）ＭＭＴＰ/ＨＴＴＰ配信、（Ｅ）ＭＰＵ/ＨＴＴＰ配信が考えられる。
【００４９】
「（Ａ）マルチキャスト配信」
マルチキャスト配信の場合、下位レイヤにＩＰパケットが存在する。このＩＰパケットの上に、ＵＤＰ（User Datagram Protocol）が載る。そして、ＵＤＰの上に、ＭＭＴ（MPEG Media Transport）パケットが載る。このＭＭＴパケットのペイロード部には、ビデオ、オーディオ等のコンポーネントの符号化データを含むＭＰＵが含まれる。
【００５０】
このマルチキャスト配信の場合、放送・通信ハイブリッド利用としては、輻輳対応を考慮すると最も望ましい方式である。また、このマルチキャスト配信の場合、ＵＤＰ伝送なので、伝送効率はよいが、パケットロスの問題があるので、ＡＬ−ＦＥＣ（Application Layer-Forward Error Correction）を必要とする可能性がある。
【００５１】
また、このマルチキャスト配信の場合、マネージドネットワーク（Managed Network）に直接接続されている受信端末のみが利用可能となる。また、このマルチキャスト配信の場合、マルチキャストＩＰストリームが、複数のアセット（コンポーネント）が多重化されたＭＭＴＰストリームを伝送するケースと、単体のアセットのみを含むＭＭＴＰストリームを伝送するケースとがある。
【００５２】
「（Ｂ）ＭＭＴＰ/ＵＤＰ配信」
ＭＭＴＰ/ＵＤＰ配信の場合、下位レイヤにＩＰパケットが存在する。このＩＰパケットの上に、ＵＤＰ（User Datagram Protocol）が載る。そして、ＵＤＰの上に、ＭＭＴパケットが載る。このＭＭＴパケットのペイロード部には、ビデオ、オーディオ等のコンポーネントの符号化データを含むＭＰＵが含まれる。
【００５３】
このＭＭＴＰ/ＵＤＰ配信の場合、ユニキャスト（Unicast）なので、放送・通信ハイブリッド利用としては、輻輳の問題がある。また、このＭＭＴＰ/ＵＤＰ配信の場合、ＵＤＰ伝送なので、伝送効率はよいが、ＡＬ−ＦＥＣを必要とする可能性がある。また、マルチキャスト配信の場合、トータル遅延や同期の面では、ＴＣＰに比べると良好である。
【００５４】
また、このＭＭＴＰ/ＵＤＰ配信の場合、ユニキャストなので、広く一般のインターネット接続機器で利用可能となり得るが、ルータ設定によってはデフォルトでは利用できない可能性がある。このＭＭＴＰ/ＵＤＰ配信の場合、ＩＰストリームが、複数のアセット（コンポーネント）が多重化されたＭＭＴＰストリームを伝送するケースと、単体のアセットのみを含むＭＭＴＰストリームを伝送するケースとがある。
【００５５】
「（Ｃ）ＭＭＴＰ/ＴＣＰ配信」
ＭＭＴＰ/ＴＣＰ配信の場合、下位レイヤにＩＰパケットが存在する。このＩＰパケットの上に、ＴＣＰ（Transmission Control Protocol）が載る。そして、ＴＣＰの上に、ＭＭＴパケットが載る。このＭＭＴパケットのペイロード部には、ビデオ、オーディオ等のコンポーネントの符号化データを含むＭＰＵが含まれる。
【００５６】
このＭＭＴＰ/ＴＣＰ配信の場合、ユニキャストなので、広く一般のインターネット接続機器で利用可能となり得る。また、このＭＭＴＰ/ＴＣＰ配信の場合、ユニキャストなので、放送・通信ハイブリッド利用としては、輻輳の問題がある。また、このＭＭＴＰ/ＴＣＰ配信の場合、ＴＣＰ伝送なので効率は犠牲となるが、再送が可能なので、ＡＬ−ＦＥＣは不要となる。
【００５７】
また、このＭＭＴＰ/ＴＣＰ配信の場合、ＩＰストリームが、複数のアセット（コンポーネント）が多重化されたＭＭＴＰストリームを伝送するケースと、単体のアセットのみを含むＭＭＴＰストリームを伝送するケースとがある。
【００５８】
「（Ｄ）ＭＭＴＰ/ＨＴＴＰ配信」
ＭＭＴＰ/ＨＴＴＰ配信の場合、下位レイヤにＩＰパケットが存在する。このＩＰパケットの上に、ＴＣＰが載る。そして、ＴＣＰの上に、ＨＴＴＰ（Hyper Text Transfer Protocol）が載り、さらにその上にＭＭＴパケットが載る。このＭＭＴパケットのペイロード部には、ビデオ、オーディオ等のコンポーネントの符号化データを含むＭＰＵが含まれる。
【００５９】
このＭＭＴＰ/ＨＴＴＰ配信の場合、ＨＴＴＰなので、広く一般のインターネット接続機器で利用可能となり得る。また、このＭＭＴＰ/ＨＴＴＰ配信の場合、ユニキャストなので、放送・通信ハイブリッド利用としては、輻輳の問題がある。また、このＭＭＴＰ/ＨＴＴＰ配信の場合、ＴＣＰ伝送なので効率は犠牲となるが、再送が可能なので、ＡＬ−ＦＥＣは不要となる。
【００６０】
また、このＭＭＴＰ/ＨＴＴＰ配信の場合、ＩＰストリームが、複数のアセット（コンポーネント）が多重化されたＭＭＴＰストリームを伝送するケースと、単体のアセットのみを含むＭＭＴＰストリームを伝送するケースとがある。
【００６１】
「（Ｅ）ＭＰＵ/ＨＴＴＰ配信」
ＭＰＵ/ＨＴＴＰ配信の場合、下位レイヤにＩＰパケットが存在する。このＩＰパケットの上に、ＴＣＰが載る。そして、ＴＣＰの上に、ＨＴＴＰが載り、このＨＴＴＰパケットのペイロード部には、ビデオ、オーディオ等のコンポーネントの符号化データを含むＭＰＵが含まれる。
【００６２】
このＭＰＵ/ＨＴＴＰ配信の場合、ＨＴＴＰなので、広く一般のインターネット接続機器で利用可能となり得る。また、このＭＰＵ/ＨＴＴＰ配信の場合、ユニキャストなので、放送・通信ハイブリッド利用としては、輻輳の問題がある。また、このＭＰＵ/ＨＴＴＰ配信の場合、ＴＣＰ伝送なので効率は犠牲となるが、再送が可能なので、ＡＬ−ＦＥＣは不要となる。
【００６３】
また、このＭＰＵ/ＨＴＴＰ配信の場合、ＭＭＴパケットが介在しないのでＭＭＴＰ/ＨＴＴＰ配信に比べて伝送効率は良くなるが、逆にＭＭＴＰヘッダ等の情報が消失する課題がある。また、このＭＰＵ/ＨＴＴＰ配信の場合、受信端末は、ＨＴＴＰにより、単一のアセット（コンポーネント）の個々のＭＰＵファイルを取得するものとなる。
【００６４】
図７は、ＰＡメッセージ（Package Access Message）およびＭＰテーブル（ＭＰＴ：MMT Package Table）の構造を概略的に示している。また、図８は、ＰＡメッセージの主要なパラメータの説明を示し、図９は、ＭＰテーブルの主要なパラメータの説明を示している。
【００６５】
「message_id」は、各種シグナリング情報において、ＰＡメッセージを識別する固定値である。「version」は、ＰＡメッセージのバージョンを示す８ビット整数値である。例えば、ＭＰテーブルを構成する一部のパラメータでも更新した場合には、＋１インクリメントされる。「length」は、このフィールドの直後からカウントされる、ＰＡメッセージのサイズを示すバイト数である。
【００６６】
「extension」のフィールドには、ペイロード（Payload）のフィールドに配置されるテーブルのインデックス情報が配置される。このフィールドには、「table_id」、「table_version」、「table_length」の各フィールドが、テーブル数だけ配置される。「table_id」は、テーブルを識別する固定値である。「table_version」は、テーブルのバージョンを示す。「table_length」は、テーブルのサイズを示すバイト数である。
【００６７】
ＰＡメッセージのペイロード（Payload）のフィールドには、ＭＰテーブル（ＭＰＴ）と、所定数のその他のテーブル（Other table）が配置される。以下、ＭＰテーブルの構成について説明する。
【００６８】
「table_id」は、各種シグナリング情報において、ＭＰテーブルを識別する固定値である。「version」は、ＭＰテーブルのバージョンを示す８ビット整数値である。例えば、ＭＰテーブルを構成する一部のパラメータでも更新した場合には、＋１インクリメントされる。「length」は、このフィールドの直後からカウントされる、ＭＰテーブルのサイズを示すバイト数である。
【００６９】
「pack_id」は、放送および通信で伝送される全てのアセット（コンポーネント）を構成要素とする全体のパッケージとしての識別情報である。この識別情報は、テキスト情報である。「pack_id_len」は、そのテキスト情報のサイズ（バイト数）を示す。「MPT_descripors」のフィールドは、パッケージ全体に関わる記述子の格納領域である。「MPT_dsc_len」は、そのフィールドのサイズ（バイト数）を示す。
【００７０】
「num_of_asset」は、パッケージを構成する要素としてのアセット（コンポーネント）の数を示す。この数分だけ、以下のアセットループが配置される。「asset_id」は、アセットをユニークに識別する情報（アセットＩＤ）である。この識別情報は、テキスト情報である。「asset_id_len」は、そのテキスト情報のサイズ（バイト数）を示す。「gen_loc_info」は、アセットの取得先のロケーションを示す情報である。「asset_descriptors」のフィールドは、アセットに関わる記述子の格納領域である。「asset_dsc_len」は、そのフィールドのサイズ（バイト数）を示す。
【００７１】
なお、図１０は、上述したＰＡメッセージの構造例（Syntax）を示している。また、図１１は、上述したＭＰテーブル（ＭＰＴ）の構造例（Syntax）を示している。図７における「gen_loc_info」のフィールドは、図１１における「asset_location」のフィールドに対応し、アセットの取得先のロケーションを示す情報として複数の「MMT_general_location_info()」の配置が可能となっている。また、図７における「asset_descriptors」のフィールドは、図１１における「asset_descriptors」のフィールドに対応している。
【００７２】
図１２は、「MMT_general_location_info()」の構造例（Syntax）の一部を示している。「location_type」の８ビットフィールドは、アセットの取得先のロケーションを示す情報（以下、適宜、「ロケーション情報」という）のタイプを示している。上述の（Ａ）マルチキャスト配信のプロトコルで配信されるアセットの場合、「location_type」は“０ｘ０１”あるいは“０ｘ０２”とされ、ロケーション情報として、ソースアドレス（ipv4_src_addr,ipv6_src_addr」と、デストネーションアドレス（ipv4_dst_addr,ipv6_dst_addr）と、デストネーションポート番号（dst_port）と、パケット識別子（packt_id）が挿入される。この場合、「location_type」により、マルチキャスト配信であることが識別される。
【００７３】
また、上述の（Ｂ）ＭＭＴＰ/ＵＤＰ配信、（Ｃ）ＭＭＴＰ/ＴＣＰ配信、（Ｄ）ＭＭＴＰ/ＨＴＴＰ配信あるいは（Ｅ）ＭＰＵ/ＨＴＴＰ配信のプロトコルで配信されるアセットである場合、「location_type」は“０ｘ０５”とされ、ロケーション情報として、ＵＲＬ（Uniform Resource Locator）が配置される。
【００７４】
ここで、（Ｂ）ＭＭＴＰ/ＵＤＰ配信のプロトコルで配信されるアセットである場合、スキーマ（schema）として“rtsp:// 〜.mmt”が指定され、さらにクエリフィールド（Query Field）により、ＵＤＰを指定するパラメータとパケット識別子（packet_id）を指定するパラメータが付加される。結局、この場合のＵＲＬは、“rtsp:// 〜.mmt?pr=udp&pid=1”のように表現される。この場合、「rtsp」と「pr=udp」により、ＭＭＴＰ/ＵＤＰ配信であることが識別される。
【００７５】
また、（Ｃ）ＭＭＴＰ/ＴＣＰ配信のプロトコルで配信されるアセットである場合、スキーマ（schema）として“rtsp:// 〜.mmt”が指定され、さらにクエリフィールド（Query Field）により、ＴＣＰを指定するパラメータとパケット識別子（packet_id）を指定するパラメータが付加される。結局、この場合のＵＲＬは、“rtsp:// 〜.mmt?pr=udp&pid=1”のように表現される。この場合、「rtsp」と「pr=tcp」により、ＭＭＴＰ/ＴＣＰ配信であることが識別される。
【００７６】
また、（Ｄ）ＭＭＴＰ/ＨＴＴＰ配信のプロトコルで配信されるアセットである場合、スキーマ（schema）として“http:// 〜.mmt”が指定され、さらにクエリフィールド（Query Field）により、パケット識別子（packet_id）を指定するパラメータが付加される。結局、この場合のＵＲＬは、“http:// 〜.mmt?pr=pid=1”のように表現される。この場合、「http」と「mmt」により、ＭＭＴＰ/ＨＴＴＰ配信であることが識別される。
【００７７】
また、（Ｅ）ＭＰＵ/ＨＴＴＰ配信のプロトコルで配信されるアセットである場合、スキーマ（schema）として“http:// 〜.mp4”が指定される。つまり、この場合のＵＲＬは、“http:// 〜.mp4”のように表現される。この場合、「http」と「mp4」により、ＭＰＵ/ＨＴＴＰ配信であることが識別される。
【００７８】
「受信シーケンス」
次に、受信端末２００における受信シーケンスについて説明する。最初に、図１３を参照して、（Ａ）マルチキャスト配信のプロトコルで配信されるアセットを受信する場合について述べる。マルチキャスト配信の場合、マルチキャストサーバ（ＭＣサーバ）が存在する。
【００７９】
受信端末２００は、放送信号を受信し、ＭＰテーブル（ＭＰＴ）を取得する。受信端末２００は、このＭＰテーブルから、マルチキャスト配信のプロトコルで配信されるアセットのロケーション情報を得る。この場合のロケーション情報は、ソースアドレスと、デストネーションアドレスと、デストネーションポート番号と、パケット識別子である。この場合、受信端末２００は、ロケーションタイプからマルチキャスト配信であることを識別できる。
【００８０】
この場合、受信端末２００は、ロケーション情報に含まれているマルチキャストアドレスとポート番号を付加したジョインメッセージ（JOIN message）をエッジルータに送信する。このジョインメッセージの送信に伴って、マルチキャストサーバからのマルチキャストＩＰストリームが、エッジフィルタを介して、受信端末２００に送られてくる。
【００８１】
受信端末２００では、このマルチキャストＩＰストリームから、ロケーション情報に含まれているパケット識別子（Packet_id）でフィルタリングすることで、目的のアセット（コンポーネント）を取ることができる。この受信状態を抜けるとき、受信端末２００は、マルチキャストアドレスとポート番号を付加したリーブメッセージ（LEAVE message）をエッジルータに送信する。
【００８２】
次に、図１４を参照して、（Ｂ）ＭＭＴＰ/ＵＤＰ配信のプロトコルで配信されるアセットを受信する場合について述べる。このＭＭＴＰ/ＵＤＰ配信の場合、ＲＴＳＰ（Real Time Streaming Protocol）のプロトコルを使用する。このＭＭＴＰ/ＵＤＰ配信の場合、ＲＴＳＰサーバおよびＭＭＴＰ/ＵＤＰサーバが存在する。これらのサーバは別個の機器として存在するか、あるいは同一の機器として存在する。図示の例では、同一の機器として存在する場合を示している。
【００８３】
受信端末２００は、放送信号を受信し、ＭＰテーブル（ＭＰＴ）を取得する。受信端末２００は、このＭＰテーブルから、ＭＭＴＰ/ＵＤＰ配信のプロトコルで配信されるアセットのロケーション情報を得る。この場合のロケーション情報は、ＵＲＬであり、スキーマとして“rtsp:// 〜.mmt”が指定され、さらにクエリフィールドにより、ＵＤＰを指定するパラメータとパケット識別子を指定するパラメータが付加されている。この場合、受信端末２００は、「rtsp」と「pr=udp」により、ＭＭＴＰ/ＵＤＰ配信であることを識別できる。
【００８４】
受信端末２００は、“ＳＥＴＵＰ”のＲＴＳＰリクエストを送る。この際、受信端末２００は、ＲＴＳＰのヘッダに、ロケーション情報を挿入する。この場合、ロケーション情報として、ＭＰテーブルから取得されたロケーション情報の全てが挿入されるか、あるいはパケット識別子を指定するパラメータが除かれて挿入される。このＲＴＳＰリクエストは目的のサーバに送られ、当該サーバから“ＯＫ”のレスポンスが送られてくる。
【００８５】
その後、受信端末２００は、“ＰＬＡＹ”のＲＴＳＰリクエストを送る。これに対して目的のサーバから“ＯＫ”のレスポンスが送られてくる。これと同時に、ＭＭＴＰ/ＵＤＰサーバから伝送ストリームが受信端末２００に送られてくる。受信端末２００では、このストリームから、ロケーション情報に含まれているパケット識別子（Packet_id）でフィルタリングすることで、目的のアセット（コンポーネント）を取ることができる。この受信状態を抜けるとき、受信端末２００は、“ＴＥＡＲＤＯＷＮ”のＲＴＳＰリクエストを送る。これに対してサーバから“ＯＫ”のレスポンスが送られてくる。
【００８６】
次に、図１５を参照して、（Ｃ）ＭＭＴＰ/ＴＣＰ配信のプロトコルで配信されるアセットを受信する場合について述べる。このＭＭＴＰ/ＴＣＰ配信の場合も、ＲＴＳＰ（Real Time Streaming Protocol）のプロトコルを使用する。このＭＭＴＰ/ＴＣＰ配信の場合、ＲＴＳＰサーバおよびＭＭＴＰ/ＴＣＰサーバが存在する。これらのサーバは別個の機器として存在するか、あるいは同一の機器として存在する。図示の例では、同一の機器として存在する場合を示している。
【００８７】
受信端末２００は、放送信号を受信し、ＭＰテーブル（ＭＰＴ）を取得する。受信端末２００は、このＭＰテーブルから、ＭＭＴＰ/ＴＣＰ配信のプロトコルで配信されるアセットのロケーション情報を得る。この場合のロケーション情報は、ＵＲＬであり、スキーマとして“rtsp:// 〜.mmt”が指定され、さらにクエリフィールドにより、ＴＣＰを指定するパラメータとパケット識別子を指定するパラメータが付加されている。この場合、受信端末２００は、「rtsp」と「pr=tcp」により、ＭＭＴＰ/ＴＣＰ配信であることを識別できる。
【００８８】
受信端末２００は、“ＳＥＴＵＰ”のＲＴＳＰリクエストを送る。この際、受信端末２００は、ＲＴＳＰのヘッダに、ロケーション情報を挿入する。この場合、ロケーション情報として、ＭＰテーブルから取得されたロケーション情報の全てが挿入されるか、あるいはパケット識別子を指定するパラメータが除かれて挿入される。このＲＴＳＰリクエストは目的のサーバに送られ、当該サーバから“ＯＫ”のレスポンスが送られてくる。
【００８９】
その後、受信端末２００は、“ＰＬＡＹ”のＲＴＳＰリクエストを送る。これに対して目的のサーバから“ＯＫ”のレスポンスが送られてくる。これと同時に、ＭＭＴＰ/ＴＣＰサーバから伝送ストリームが受信端末２００に送られてくる。受信端末２００では、このストリームから、ロケーション情報に含まれているパケット識別子（Packet_id）でフィルタリングすることで、目的のアセット（コンポーネント）を取ることができる。この受信状態を抜けるとき、受信端末２００は、“ＴＥＡＲＤＯＷＮ”のＲＴＳＰリクエストを送る。これに対してサーバから“ＯＫ”のレスポンスが送られてくる。
【００９０】
次に、図１６を参照して、（Ｄ）ＭＭＴＰ/ＨＴＴＰ配信のプロトコルで配信されるアセットを受信する場合について述べる。このＭＭＴＰ/ＨＴＴＰ配信の場合、ＨＴＴＰ（Hyper Text Transfer Protocol）のプロトコルを使用する。このＭＭＴＰ/ＨＴＴＰ配信の場合、ＨＴＴＰサーバが存在する。
【００９１】
受信端末２００は、放送信号を受信し、ＭＰテーブル（ＭＰＴ）を取得する。受信端末２００は、このＭＰテーブルから、ＭＭＴＰ/ＨＴＴＰ配信のプロトコルで配信されるアセットのロケーション情報を得る。この場合のロケーション情報は、ＵＲＬであり、スキーマとして“http:// 〜.mmt”が指定され、さらにクエリフィールドにより、パケット識別子（packet_id）を指定するパラメータが付加されている。受信端末２００は、「http」と「mmt」により、ＭＭＴＰ/ＨＴＴＰ配信であることを識別できる。
【００９２】
受信端末２００は、ＨＴＴＰリクエストをＨＴＴＰサーバに送る。この際、受信端末２００は、ＨＴＴＰのヘッダに、ロケーション情報を挿入する。この場合、ロケーション情報として、ＭＰテーブルから取得されたロケーション情報に含まれる“http:// 〜.mmt”が挿入されると共に、さらにクエリフィールドにより、パケット識別子を指定するパラメータ“pid=a”と、ＭＰＵシーケンス番号を指定するパラメータ“msn=*”が付加される。パラメータ“msn=*”は、「そのタイミングのＭＰＵシーケンス番号を持ったＭＰＵを送って下さい」という指定になる。
【００９３】
このＨＴＴＰリクエストは目的のＨＴＴＰサーバに送られ、当該ＨＴＴＰサーバから、ＨＴＴＰレスポンスとして、ＨＴＴＰリクエストを送ったタイミングのＭＰＵシーケンス番号（＝１０）を持ったＭＰＵを含むＭＭＴＰストリームが受信端末２００に送られてくる。受信端末２００では、このＭＭＴＰストリームから、ロケーション情報に含まれているパケット識別子（Packet_id）でフィルタリングすることで、目的のアセット（コンポーネント）を取る。
【００９４】
受信端末２００は、ＭＭＴＰストリームの受信完了後に、あるいは受信完了前に、次のＭＰＵシーケンス番号（＝１１）のＭＰＵを要求するＨＴＴＰリクエストをＨＴＴＰサーバに送る。そして、当該ＨＴＴＰサーバから、ＨＴＴＰレスポンスとして、次のＭＰＵシーケンス番号（＝１１）のＭＰＵを含むＭＭＴＰストリームが受信端末２００に送られてくる。受信端末２００は、このＭＭＴＰストリームから、ロケーション情報に含まれているパケット識別子（Packet_id）でフィルタリングすることで、目的のアセット（コンポーネント）を取ることができる。
【００９５】
以下、同様にして、受信端末２００は、次のＭＰＵシーケンス番号のＭＰＵを要求するＨＴＴＰリクエストをＨＴＴＰサーバに送り、当該ＨＴＴＰサーバから、ＨＴＴＰレスポンスとして、次のＭＰＵシーケンス番号のＭＰＵを含むＭＭＴＰストリームを受信し、そのＭＭＴＰストリームから目的のアセット（コンポーネント）を取る。
【００９６】
なお、ＨＴＴＰリクエストの際に、ＨＴＴＰヘッダに含まれるパラメータ“pid=a”は、ビデオ、オーディオなどのアセットの種類の指定となる。ＭＭＴＰストリームにビデオおよびオーディオが多重化されていることがある。その場合、ＭＰＵシーケンス番号は、ビデオはビデオのＭＰＵシーケンス番号を持ち、オーディオはオーディオのＭＰＵシーケンス番号を持つ。ＭＰＵシーケンス番号を指定したとしても、パラメータ“pid=a”がないと、どちらのアセット（コンポーネント）のＭＰＵシーケンス番号か分からないことになる。
【００９７】
図１７は、ＭＭＴＰ/ＨＴＴＰの多重化ストリームにおける切り出し処理を示している。パラメータ“pid=a”がビデオを示し、ＭＰＵシーケンス番号がｎのＭＰＵを要求するＨＴＴＰリクエストを受け取ったＨＴＴＰサーバは、多重化ストリームから、ビデオのＭＰＵシーケンス番号のｎ−１からｎへの切り換わりからｎからｎ＋１への切り換わりまでを切り取って、受信端末２００に送る。
【００９８】
なお、この場合、同じ多重化ストリームからオーディオも取りたいことがある。この場合、受信端末２００は、ロケーション情報から、オーディオはビデオと多重化されていることを認識できる。受信端末２００は、ビデオのＭＰＵシーケンス番号で切り出されたＭＭＴＰストリームから、ロケーション情報に含まれているパケット識別子（Packet_id）でフィルタリングすることで目的のオーディオを取り出す処理をする。
【００９９】
次に、図１８を参照して、（Ｅ）ＭＰＵ/ＨＴＴＰ配信のプロトコルで配信されるアセットを受信する場合について述べる。このＭＰＵ/ＨＴＴＰ配信の場合、ＨＴＴＰ（Hyper Text Transfer Protocol）のプロトコルを使用する。このＭＰＵ/ＨＴＴＰ配信の場合、ＨＴＴＰサーバが存在する。
【０１００】
受信端末２００は、放送信号を受信し、ＭＰテーブル（ＭＰＴ）を取得する。受信端末２００は、このＭＰテーブルから、ＭＰＵ/ＨＴＴＰ配信のプロトコルで配信されるアセットのロケーション情報を得る。この場合のロケーション情報は、ＵＲＬであり、スキーマとして“http:// 〜.mp4”が指定される。受信端末２００は、「http」と「mp4」により、ＭＰＵ/ＨＴＴＰ配信であることを識別できる。
【０１０１】
受信端末２００は、ＨＴＴＰリクエストをＨＴＴＰサーバに送る。この際、受信端末２００は、ＨＴＴＰのヘッダに、ロケーション情報を挿入する。この場合、ロケーション情報として、ＭＰテーブルから取得されたロケーション情報に含まれる“http:// 〜.mp4”が挿入されると共に、さらにクエリフィールドにより、ＭＰＵシーケンス番号を指定するパラメータ“msn=*”が付加される。パラメータ“msn=*”は、「そのタイミングのＭＰＵを送って下さい」という指定になる。
【０１０２】
このＨＴＴＰリクエストは目的のＨＴＴＰサーバに送られ、当該ＨＴＴＰサーバから、ＨＴＴＰレスポンスとして、ＨＴＴＰリクエストを送ったタイミングのＭＰＵシーケンス番号（＝１０）を持ったＭＰＵが受信端末２００に送られてくる。
【０１０３】
受信端末２００は、ＭＰＵの受信完了後に、あるいは受信完了前に、次のＭＰＵシーケンス番号（＝１１）のＭＰＵを要求するＨＴＴＰリクエストをＨＴＴＰサーバに送る。そして、当該ＨＴＴＰサーバから、ＨＴＴＰレスポンスとして、次のＭＰＵシーケンス番号（＝１１）のＭＰＵが受信端末２００に送られてくる。
【０１０４】
以下、同様にして、受信端末２００は、次のＭＰＵシーケンス番号のＭＰＵを要求するＨＴＴＰリクエストをＨＴＴＰサーバに送り、当該ＨＴＴＰサーバから、ＨＴＴＰレスポンスとして、次のＭＰＵシーケンス番号のＭＰＵを受信する。
【０１０５】
［放送送出システムの構成］
図１９は、放送送出システム１００の構成例を示している。この放送送出システム１００は、信号送出部１０１と、ビデオエンコーダ１０２と、オーディオエンコーダ１０３と、シグナリング発生部１０４を有している。また、この放送送出システム１００は、ＴＬＶシグナリング発生部１０５と、Ｎ個のＩＰサービス・マルチプレクサ１０６-1〜１０６-Nと、ＴＬＶ・マルチプレクサ１０７と、変調/送信部１０８を有している。
【０１０６】
信号送出部１０１は、例えば、ＴＶ局のスタジオとか、ＶＴＲ等の記録再生機であり、ビデオ、オーディオのストリームデータを各エンコーダに送出する。ビデオエンコーダ１０２は、信号送出部１０１から送出されるビデオデータを符号化し、さらにパケット化して、ビデオのＭＭＴパケットを含むＩＰパケットをＩＰサービス・マルチプレクサ１０６-1に送る。オーディオエンコーダ１０３は、信号送出部１０１から送出されるオーディオデータを符号化し、さらにパケット化して、オーディオのＭＭＴパケットを含むＩＰパケットをＩＰサービス・マルチプレクサ１０６-1に送る。
【０１０７】
シグナリング発生部１０４は、シグナリングメッセージを発生し、ペイロード部にこのシグナリングメッセージが配置されたＭＭＴパケットを含むＩＰパケットをＩＰサービス・マルチプレクサ１０６-1に送る。この場合、シグナリング発生部１０４は、ＰＡメッセージに、ＭＰテーブル（ＭＰＴ）を配置する（図１１〜図１２参照）。このＭＰテーブルには、上述したように、放送および通信で伝送される全てのアセット（コンポーネント）の情報が含まれる。この情報には、各アセットのロケーション情報も含まれている。
【０１０８】
ＩＰサービス・マルチプレクサ１０６-1は、各エンコーダから送られてくるＩＰパケットの時分割多重化を行う。この際、ＩＰサービス・マルチプレクサ１０６-1は、各ＩＰパケットにＴＬＶヘッダを付加して、ＴＬＶパケットとする。ＩＰサービス・マルチプレクサ１０６-1は、一つのトランスポンダの中にいれる一つのチャネル部分を構成する。ＩＰサービス・マルチプレクサ１０６-2〜１０６-Nは、ＩＰサービス・マルチプレクサ１０６-1と同様の機能を持ち、その１つのトランスポンダの中に入れる他のチャネル部分を構成する。
【０１０９】
ＴＬＶシグナリング発生部１０５は、シグナリング（Signaling）情報を発生し、このシグナリング（Signaling）情報をペイロード部に配置するＴＬＶパケットを生成する。ＴＬＶ・マルチプレクサ１０７は、ＩＰサービス・マルチプレクサ１０６-1〜１０６-NおよびＴＬＶシグナリング発生部１０５で生成されるＴＬＶパケットを多重化して、放送ストリームを生成する。変調/送信部１０８は、ＴＬＶ・マルチプレクサ１０７で生成される放送ストリームに対して、ＲＦ変調処理を行って、ＲＦ伝送路に送出する。
【０１１０】
図１９に示す放送送出システム１００の動作を簡単に説明する。信号送出部１０１から送出されるビデオデータは、ビデオエンコーダ１０２に供給される。このビデオエンコーダ１０２では、ビデオデータが符号化され、さらにパケット化されて、ビデオのＭＭＴパケットを含むＩＰパケットが生成される。このＩＰパケットは、ＩＰサービス・マルチプレクサ１０６-1に送られる。また、信号送出部１０１から送出されるオーディオデータに対しても同様の処理が行われる。そして、オーディオエンコーダ１０３で生成されるオーディオのＭＭＴパケットを含むＩＰパケットがＩＰサービス・マルチプレクサ１０６-1に送られる。
【０１１１】
また、シグナリング発生部１０４では、シグナリングメッセージが発生され、ペイロード部にこのシグナリングメッセージが配置されたＭＭＴパケットを含むＩＰパケットが生成される。このＩＰパケットは、ＩＰサービス・マルチプレクサ１０６-1に送られる。この際、ＰＡメッセージに、ＭＰテーブル（ＭＰＴ）が配置される。
【０１１２】
ＩＰサービス・マルチプレクサ１０６-1では、各エンコーダおよびシグナリング発生部１０４から送られてくるＩＰパケットの時分割多重化が行われる。この際、各ＩＰパケットにＴＬＶヘッダが付加されて、ＴＬＶパケットとされる。このＩＰサービス・マルチプレクサ１０６-1では、一つのトランスポンダの中に入れる１つのチャネル部分の処理が行われ、ＩＰサービス・マルチプレクサ１０６-2〜１０６-Nでは、その一つのトランスポンダの中に入れる他のチャネル部分の処理が同様に行われる。
【０１１３】
ＩＰサービス・マルチプレクサ１０６-1〜１０６-Nで得られるＴＬＶパケットは、ＴＬＶ・マルチプレクサ１０７に送られる。このＴＬＶ・マルチプレクサ１０７には、さらに、ＴＬＶシグナリング発生部１０５から、シグナリング（Signaling）情報をペイロード部に配置するＴＬＶパケットも送られる。
【０１１４】
ＴＬＶ・マルチプレクサ１０７では、ＩＰサービス・マルチプレクサ１０６-1〜１０６-NおよびＴＬＶシグナリング発生部１０５で生成されるＴＬＶパケットが多重化されて、放送ストリームが生成される。この放送ストリームは、変調/送信部１０８に送られる。変調/送信部１０８では、この放送ストリームに対してＲＦ変調処理が行われ、そのＲＦ変調信号が放送信号としてＲＦ伝送路に送出される。
【０１１５】
［受信端末の構成］
図２０は、受信端末２００の構成例を示している。この受信端末２００は、ＣＰＵ２０１と、チューナ/復調部２０２と、ネットワークインタフェース部２０３と、デマルチプレクサ２０４を有している。また、この受信端末２００は、ビデオデコーダ２０５と、オーディオデコーダ２０６を有している。
【０１１６】
ＣＰＵ２０１は、制御部を構成し、受信端末２００の各部の動作を制御する。チューナ/復調部２０２は、ＲＦ変調信号を受信し、復調処理を行って、放送ストリームを得る。ネットワークインタフェース部２０３は、配信サーバ３００から通信ネットワーク４００を介して配信されるサービスの伝送ストリームを受信する。
【０１１７】
デマルチプレクサ２０４は、チューナ/復調部２０２で得られる放送ストリームおよびネットワークインタフェース部２０３で得られる伝送ストリームに対して、デマルチプレクス処理およびデパケット化処理を行って、シグナリング情報、ビデオ、オーディオの符号化データなどを出力する。
【０１１８】
ビデオデコーダ２０５は、デマルチプレクサ２０４で得られる符号化ビデオデータの復号化を行ってベースバンドのビデオデータを得る。オーディオデコーダ２０６は、デマルチプレクサ２０４で得られる符号化オーディオデータの復号化を行ってベースバンドのオーディオデータを得る。
【０１１９】
図２０に示す受信端末２００の動作を簡単に説明する。チューナ/復調部２０２では、ＲＦ伝送路を通じて送られてくるＲＦ変調信号が受信され、復調処理が行われて、放送ストリームが得られる。この放送ストリームは、デマルチプレクサ２０４に送られる。また、ネットワークインタフェース部２０３では、配信サーバ３００から通信ネットワーク４００を介して配信されるサービスの伝送ストリームが受信され、デマルチプレクサ２０４に送られる。
【０１２０】
デマルチプレクサ２０４では、チューナ/復調部２０２からの放送ストリームやネットワークインタフェース部２０３からの伝送ストリームに対して、デマルチプレクス処理およびデパケット化処理が行われ、シグナリング情報、ビデオ、オーディオの符号化データなどが抽出される。
【０１２１】
デマルチプレクサ２０４で抽出される各種のシグナリング情報はＣＰＵバス２０７を介してＣＰＵ２０１に送られる。このシグナリング情報には、ＴＬＶ−ＳＩ、ＭＭＴ−ＳＩが含まれる。上述したように、ＴＬＶ−ＳＩはＴＬＶの伝送パケットの上に載る伝送制御信号（ＴＬＶ−ＮＩＴ/ＡＭＴ）であり、ＭＭＴ−ＳＩはＭＭＴパケットのペイロード部に含まれるシグナリング情報としてのシグナリングメッセージである（図２参照）。ＣＰＵ２０１は、このシグナリング情報に基づいて、受信端末２００の各部の動作を制御する。
【０１２２】
デマルチプレクサ２０４で抽出される符号化ビデオデータはビデオデコーダ２０５に送られて復号化され、ベースバンドのビデオデータが得られる。また、デマルチプレクサ２０４で抽出される符号化オーディオデータはオーディオデコーダ２０６に送られて復号化され、音声出力用のベースバンドのオーディオデータが得られる。
【０１２３】
上述したように、図１に示す放送・通信ハイブリッドシステム１０においては、通信経路のアセット（コンポーネント）に関し、ＭＰテーブルに、少なくともロケーション情報およびプロトコル識別情報が含まれる取得情報が挿入される。そのため、受信側では、この取得情報に基づいて、通信経路のコンポーネントを含む伝送パケットを有する伝送ストリームの受信を良好に行い得る。
【０１２４】
また、図１に示す放送・通信ハイブリッドシステム１０においては、ＭＰテーブルに挿入される通信経路のアセット（コンポーネント）の取得情報に、パケット識別情報が含まれる。そのため、ＭＭＴＰストリームに複数のアセットの伝送パケットが多重化されているケースであっても、受信側では、所望の伝送パケットを選択的に取得可能となる。
【０１２５】
＜２．変形例＞
なお、上述実施の形態では、伝送パケットがＭＭＴパケットである例を示した。本技術は、これに限定されるものではなく、その他の同様の伝送パケットを取り扱う場合にも、本技術を適用できることは勿論である。
【０１２６】
また、本技術は、以下のような構成を取ることもできる。
（１）所定のコンポーネントを含む第１の伝送パケットおよび該所定のコンポーネントに関する情報を含む第２の伝送パケットを時分割的に多重化した伝送ストリームを生成する伝送ストリーム生成部と、
上記伝送ストリームを所定の伝送路を通じて送信する送信部と、
上記第２の伝送パケットに、少なくともロケーション情報およびプロトコル識別情報が含まれる、通信経路のコンポーネントの取得情報を挿入する情報挿入部を備える
送信装置。
（２）上記取得情報に、パケット識別情報がさらに含まれる
前記（１）に記載の送信装置。
（３）上記プロトコル識別情報は、少なくともマルチキャスト配信、ＭＭＴＰ/ＵＤＰ配信、ＭＭＴＰ/ＴＣＰ配信、ＭＭＴＰ/ＨＴＴＰ配信およびＭＰＵ/ＨＴＴＰ配信のいずれのプロトコルであるかを識別するための情報である
前記（１）または（２）に記載の送信装置。
（４）上記プロトコル識別情報が上記ＭＭＴＰ/ＵＤＰ配信であることを示すとき、上記取得情報には、ＵＲＬの他にＵＤＰを指定するパラメータが含まれる
前記（３）に記載の送信装置。
（５）上記プロトコル識別情報が上記ＭＭＴＰ/ＴＣＰ配信であることを示すとき、上記取得情報には、ＵＲＬの他にＴＣＰを指定するパラメータが含まれる
前記（３）に記載の送信装置。
（６）上記伝送パケットは、ＭＭＴパケットである
前記（１）から（５）のいずれかに記載の送信装置。
（７）上記所定の伝送路は、放送伝送路である
前記（１）から（６）のいずれかに記載の送信装置。
（８）所定のコンポーネントを含む第１の伝送パケットおよび該所定のコンポーネントに関する情報を含む第２の伝送パケットを時分割的に多重化した伝送ストリームを生成する伝送ストリーム生成ステップと、
送信部により、上記伝送ストリームを所定の伝送路を通じて送信する送信ステップと、
上記第２の伝送パケットに、少なくともロケーション情報およびプロトコル識別情報が含まれる、通信経路のコンポーネントの取得情報を挿入する情報挿入ステップを有する
送信方法。
（９）所定のコンポーネントを含む第１の伝送パケットおよび該所定のコンポーネントに関する情報を含む第２の伝送パケットを時分割的に多重化した伝送ストリームを所定の伝送路を通じて受信する受信部を備え、
上記第２の伝送パケットには、少なくともロケーション情報およびプロトコル識別情報が含まれる、通信経路のコンポーネントの取得情報が挿入されており、
上記ロケーション情報および上記プロトコル識別情報に基づいてサーバにリクエストすることで、該サーバからネットワークを通じて所定のコンポーネントを含む第３の伝送パケットを有する伝送ストリームを上記プロトコル識別情報で示されるプロトコルで受信する通信部をさらに備える
受信装置。
（１０）上記通信経路のコンポーネントの取得情報にはパケット識別情報がさらに含まれており、
上記通信部は、上記受信された第３の伝送パケットを有する伝送ストリームから、上記パケット識別情報に基づいて該第３の伝送パケットを抽出する
前記（９）に記載の受信装置。
（１１）上記プロトコル識別情報は、少なくともマルチキャスト配信、ＭＭＴＰ/ＵＤＰ配信、ＭＭＴＰ/ＴＣＰ配信、ＭＭＴＰ/ＨＴＴＰ配信およびＭＰＵ/ＨＴＴＰ配信のいずれのプロトコルであるかを識別するための情報である
前記（９）または（１０）に記載の受信装置。
（１２）上記プロトコル識別情報が上記ＭＭＴＰ/ＵＤＰ配信であることを示すとき、
上記取得情報には、ＵＲＬの他にＵＤＰを指定するパラメータが含まれており、
上記通信部は、
上記ＵＲＬおよび上記ＵＤＰを指定するパラメータを用いてサーバにリクエストすることで、該サーバからネットワークを通じて上記第３の伝送パケットを有する伝送ストリームを上記ＭＭＴＰ/ＵＤＰ配信のプロトコルで受信する
前記（１１）に記載の受信装置。
（１３）上記プロトコル識別情報が上記ＭＭＴＰ/ＴＣＰ配信であることを示すとき、
上記取得情報には、ＵＲＬの他にＴＣＰを指定するパラメータが含まれており、
上記通信部は、
上記ＵＲＬおよび上記ＴＣＰを指定するパラメータを用いてサーバにリクエストをすることで、該サーバからネットワークを通じて上記第３の伝送パケットを有する伝送ストリームを上記ＭＭＴＰ/ＴＣＰ配信のプロトコルで受信する
前記（１１）に記載の受信装置。
（１４）上記プロトコル識別情報がＭＭＴＰ/ＨＴＴＰ配信であることを示すとき、
上記取得情報にはＵＲＬが含まれており、
上記通信部は、
上記ＵＲＬおよびＭＰＵシーケンス番号を示すパラメータを用いてサーバに順次リクエストを送信することで、該サーバからネットワークを通じて上記パラメータに対応したＭＰＵシーケンス番号のＭＰＵを含むＭＭＴパケットを順次受信し、
最初のリクエストにおけるＭＰＵシーケンス番号を示すパラメータを、該最初のリクエストのタイミングのＭＰＵシーケンス番号を表すものとする
前記（１１）に記載の受信装置。
（１５）上記プロトコル識別情報がＭＰＵ/ＨＴＴＰ配信であることを示すとき、
上記取得情報にはＵＲＬが含まれており、
上記通信部は、
上記ＵＲＬおよびＭＰＵシーケンス番号を示すパラメータを用いてサーバに順次リクエストを送信することで、該サーバからネットワークを通じて上記パラメータに対応したＭＰＵシーケンス番号のＭＰＵを順次受信し、
最初のリクエストにおけるＭＰＵシーケンス番号を示すパラメータを、該最初のリクエストのタイミングのＭＰＵシーケンス番号を表すものとする
前記（１１）に記載の受信装置。
（１６）上記伝送パケットは、ＭＭＴパケットである
前記（９）から（１５）のいずれかに記載の受信装置。
（１７）上記所定の伝送路は、放送伝送路である
前記（９）から（１６）のいずれかに記載の受信装置。
（１８）受信部により、所定のコンポーネントを含む第１の伝送パケットおよび該所定のコンポーネントに関する情報を含む第２の伝送パケットを時分割的に多重化した伝送ストリームを所定の伝送路を通じて受信する受信ステップを有し、
上記第２の伝送パケットには、少なくともロケーション情報およびプロトコル識別情報が含まれる、通信経路のコンポーネントの取得情報が挿入されており、
通信部により、上記ロケーション情報および上記プロトコル識別情報に基づき、ネットワークを通じて、所定のコンポーネントを含む第３の伝送パケットを有する伝送ストリームを上記プロトコル識別情報で示されるプロトコルで受信する通信ステップをさらに有する
受信方法。
（１９）所定のコンポーネントを含む第１の伝送パケットおよび該所定のコンポーネントに関する情報を含む第２の伝送パケットを時分割的に多重化した伝送ストリームを所定の伝送路を通じて受信する受信部を備え、
上記第２の伝送パケットには、少なくともロケーション情報およびプロトコル識別情報が含まれる、通信経路のコンポーネントの取得情報が挿入されており、
上記受信部で受信された伝送ストリームを処理する処理部をさらに備える
受信装置。
【符号の説明】
【０１２７】
１０・・・放送・通信ハイブリッドシステム
１００・・・放送送出システム
１０１・・・信号送出部
１０２・・・ビデオエンコーダ
１０３・・・オーディオエンコーダ
１０４・・・シグナリング発生部
１０５・・・ＴＬＶシグナリング発生部
１０６-1〜１０６-N・・・ＩＰサービス・マルチプレクサ
１０７・・・ＴＬＶ・マルチプレクサ
１０８・・・変調/送信部
２００・・・受信端末
２０１・・・ＣＰＵ
２０２・・・チューナ/復調部
２０３・・・ネットワークインタフェース部
２０４・・・デマルチプレクサ
２０５・・・ビデオデコーダ
２０６・・・オーディオデコーダ
２０７・・・ＣＰＵバス
３００・・・配信サーバ
４００・・・通信ネットワーク
【図１】
2020074589.tif 000003
【図２】
2020074589.tif 000004
【図３】
2020074589.tif 000005
【図４】
2020074589.tif 000006
【図５】
2020074589.tif 000007
【図６】
2020074589.tif 000008
【図７】
2020074589.tif 000009
【図８】
2020074589.tif 000010
【図９】
2020074589.tif 000011
【図１０】
2020074589.tif 000012
【図１１】
2020074589.tif 000013
【図１２】
2020074589.tif 000014
【図１３】
2020074589.tif 000015
【図１４】
2020074589.tif 000016
【図１５】
2020074589.tif 000017
【図１６】
2020074589.tif 000018
【図１７】
2020074589.tif 000019
【図１８】
2020074589.tif 000020
【図１９】
2020074589.tif 000021
【図２０】
2020074589.tif 000022
【手続補正書】
【提出日】令和2年2月21日(2020.2.21)
【手続補正１】
【補正対象書類名】特許請求の範囲
【補正対象項目名】全文
【補正方法】変更
【補正の内容】
【特許請求の範囲】
【請求項１】
所定のコンポーネントを含む第１のＭＭＴ（MPEG Media Transport）プロトコルのパケットおよび該所定のコンポーネントに関する情報を含む第２のＭＭＴプロトコルのパケットを多重化した伝送ストリームを生成する伝送ストリーム生成ステップと、
送信部により、上記伝送ストリームを所定の伝送路を通じて送信する送信ステップと、
上記第２のＭＭＴプロトコルの伝送パケットに、少なくともロケーション情報およびプロトコル識別情報が含まれる、通信経路のコンポーネントの取得情報を挿入する情報挿入ステップを有し、
上記プロトコル識別情報は、上記通信経路のコンポーネントが、ＭＭＴプロトコルのパケットに含まれるか否かを示す
送信方法。
【請求項２】
上記プロトコル識別情報は、上記通信経路のコンポーネントが、ＭＭＴプロトコルのパケットに含まれないことを示す場合には、ＨＴＴＰ（Hyper Text Transfer Protocol）で伝送されることを示す
請求項１に記載の送信方法。
【手続補正３】
【補正対象書類名】明細書
【補正対象項目名】０００１
【補正方法】変更
【補正の内容】
【０００１】
本技術は、送信方法に関する。